(57)【要約】【課題】電力供給停止状態が発生した場合でも電子機器の冷却を行うこと。【解決手段】コンピュータールーム内を空調する電気式空気調和機１１０と、コンピュータールーム以外の空調空間３を空調するガスエンジン式空気調和機１とを備え、電気式空気調和機１１０は、電動機で駆動される圧縮機からの冷媒を、該電気式空気調和機１１０の室内熱交換器１３１に供給する第１の冷媒回路１３１Ａと、ガスエンジンで駆動される圧縮機からの冷媒を、室内熱交換器に供給する第２の冷媒回路１３１Ｂと、第１，第２の冷媒回路を切り換える切換手段２０１、２０２とを備え、商用電源から電気式空気調和機への電力供給停止状態の発生を検出する検出手段２００を備え、電力供給停止状態時には、切換手段により第１の冷媒回路から第２の冷媒回路に切り換えて、ガスエンジンで駆動される圧縮機からの冷媒を、室内熱交換器に供給する。【選択図】図１
2010190485.tif 000002
【特許請求の範囲】
【請求項１】
商用電源を用いた電動機で圧縮機を駆動してコンピュータールーム内を空調する電気式空気調和機と、ガスエンジンで圧縮機と発電機を駆動し、該発電機の発電電力で該空気調和機の補機を駆動するとともに、前記コンピュータールーム以外の通常の空調空間を空調するガスエンジン式空気調和機とを備え、
前記電気式空気調和機は、前記電動機で駆動される圧縮機からの冷媒を、該電気式空気調和機の室内熱交換器に供給する第１の冷媒回路と、前記ガスエンジンで駆動される前記圧縮機からの冷媒を、前記室内熱交換器に供給する第２の冷媒回路と、第１，第２の冷媒回路を切り換える切換手段とを備え、
前記商用電源から前記電気式空気調和機への電力供給停止状態の発生を検出する検出手段を備え、
前記電力供給停止状態時には、前記切換手段により前記第１の冷媒回路から前記第２の冷媒回路に切り換えて、前記ガスエンジンで駆動される前記圧縮機からの冷媒を、前記室内熱交換器に供給することを特徴とする電子機器冷却装置。
【請求項２】
請求項１記載の電子機器冷却装置において、
前記第１の冷媒回路および前記第２の冷媒回路が共通の室内熱交換器に配置されていることを特徴とする電子機器冷却装置。
【発明の詳細な説明】
【技術分野】
【０００１】
本発明は、電子機器冷却装置に関する。
【背景技術】
【０００２】
複数のサーバー等の電子機器を収容するキャビネットが配置されたコンピュータールームでは、コンピュータールーム内の温度が上昇して、電子機器が熱暴走しないように、空調装置によってコンピュータールーム内が空調される（特許文献１参照）。
【特許文献１】特開２００８−５１４７５号公報
【発明の開示】
【発明が解決しようとする課題】
【０００３】
しかし、上述した技術では、例えば、停電等に起因する電力供給停止状態が発生した場合には、電子機器の冷却を行うことができないという問題点がある。
【０００４】
本発明は、上述した事情に鑑みてなされたものであり、電力供給停止状態が発生した場合でも、電子機器の冷却を行うことが可能な電子機器冷却装置を提供することを目的とする。
【課題を解決するための手段】
【０００５】
上記目的を達成するために、本発明は、商用電源を用いた電動機で圧縮機を駆動してコンピュータールーム内を空調する電気式空気調和機と、ガスエンジンで圧縮機と発電機を駆動し、該発電機の発電電力で該空気調和機の補機を駆動するとともに、前記コンピュータールーム以外の通常の空調空間を空調するガスエンジン式空気調和機とを備え、前記電気式空気調和機は、前記電動機で駆動される圧縮機からの冷媒を、該電気式空気調和機の室内熱交換器に供給する第１の冷媒回路と、前記ガスエンジンで駆動される前記圧縮機からの冷媒を、前記室内熱交換器に供給する第２の冷媒回路と、第１，第２の冷媒回路を切り換える切換手段とを備え、前記商用電源から前記電気式空気調和機への電力供給停止状態の発生を検出する検出手段を備え、前記電力供給停止状態時には、前記切換手段により前記第１の冷媒回路から前記第２の冷媒回路に切り換えて、前記ガスエンジンで駆動される前記圧縮機からの冷媒を、前記室内熱交換器に供給することを特徴とする。
この構成によれば、電力供給停止状態が発生した場合でも、コンピュータールーム内の電子機器の冷却を行うことが可能となる。
【０００６】
また、他の発明は、上記発明に加えて、前記第１の冷媒回路および前記第２の冷媒回路が共通の室内熱交換器に配置されていることを特徴とする。
この構成によれば、室内熱交換器に二つの冷媒回路を設けることにより設置スペースが大きくなることを防止できる。
【発明の効果】
【０００７】
本発明によれば、電力供給停止状態が発生した場合でも、コンピュータールーム内の電子機器の冷却を行うことが可能な電子機器冷却装置を提供することができる。
【発明を実施するための最良の形態】
【０００８】
以下、図面を参照して本発明の実施形態を詳述する。
図１は本発明の一実施形態に係るサーバーラック冷却装置（電子機器冷却装置）１００を示す図である。サーバーラック冷却装置１００は、電動機で圧縮機を駆動する電気式空気調和機としての空気調和機（以下、「空気調和機」を「空調機」という）１１０と、ガスエンジンで圧縮機と発電機を駆動するガスエンジン式空気調和機としての空調機１とを備える。空調機１１０は、商用電源を動力源として被調和室としてのサーバールーム（コンピュータールーム）２内を空調する。空調機１は、例えば、都市ガスを動力源として被調和室としてのオフィス３内を空調する。空調機１１０は、室外に設置される室外ユニット１２０と、サーバールーム２に設置される室内ユニット１３０とを備え、これらがユニット配管１４０で接続されることによって冷凍サイクルを行う冷凍回路を構成している。なお、オフィス３は、季節または外気温によって冷房運転のみならず、暖房運転も実行されることから、暖房運転時において運転効率（ＣＯＰ；Ｃｏｅｆｆｉｃｉｅｎｔ  ｏｆ  Ｐｅｒｆｏｒｍａｎｃｅ）が高いガスエンジン式空調機１が採用され、常に冷房運転が実行されるサーバールーム２には冷房運転時に運転効率が高い電気式空調機１１０が採用されている。
【０００９】
サーバールーム２には、それぞれ複数のサーバー（電子機器）１１を収容したサーバーラック１０が配置されている。各サーバーラック１０内には、複数のサーバー１１が垂直方向に段積み配置されている。各サーバー１１には、冷却用のファンが配設されており、サーバー１１内の温度が所定温度を超えるとファンを駆動し、サーバー１１内に外気を導入して強制空冷する。なお、サーバー１１には、図示せぬＵＰＳ（Ｕｎｉｎｔｅｒｒｐｔｉｂｌｅ  Ｐｏｗｅｒ  Ｓｕｐｐｌｙ）から電源電力が供給されていることから、商用電源からの電力供給停止状態が発生した場合であっても、サーバー１１およびファンは動作を継続する。
【００１０】
各ユニット１２０、１３０を説明すると、室外ユニット１２０には、圧縮機１２１、圧縮機モータ１２２、室外熱交換器１２３、膨張弁１２４、室外ファン１２５、室外ファンモータ１２６、および、制御ユニット８５等が収容され、室内ユニット１３０には、室内熱交換器１３１および室内ファン１３２等が収容される。そして、圧縮機モータ１２２によって駆動される圧縮機１２１が冷凍回路に充填された冷媒を圧縮して吐出することにより、室外熱交換器１２３と室内熱交換器１３１との間で冷媒を循環して冷凍サイクル運転を行う。圧縮機モータ１２２の回転数を制御することにより、冷凍能力を調整することができる。
【００１１】
図１では室内ユニット１３０をビルトイン型に構成した場合を示している。すなわち、室内ユニット１３０は、天井空間内に設置され、天井に設けられた吸込口１４１から室内ファン１３２の負圧によりサーバールーム２内の空気を吸い込み、室内熱交換器１３１を通過させ、熱交換後の調和空気を、ダクト１４４を介して、複数（本例では２つ）の吹出口１４２を介してサーバールーム２内に吹き出す。
なお、本実施形態では、空調機１１０をビルトイン型に構成する場合を示したが、これに限らず、天井埋込型、天井吊り型、壁掛け型、床置き型などの公知の空気調和機を広く適用することが可能である。
【００１２】
空調機１は、室外に設置される室外ユニット３０と、サーバールーム２以外の通常の空調空間としてのオフィス３に設置される室内ユニット１６０とを備え、これらがユニット配管１７０で接続されることによって冷凍サイクルを行う冷凍回路を構成している。
【００１３】
各ユニット３０、１６０を説明すると、室外ユニット３０には、圧縮機３２、室外ファンモータ３４、室外熱交換器３５、膨張弁３６、室外ファン３７、四方弁３８、ガスエンジン４０、発電機４１、および、制御ユニット８０等が収容され、室内ユニット１６０には、室内熱交換器１６１および室内ファン１６２等が収容される。そして、ガスエンジン４０によって駆動される圧縮機３２が冷凍回路に充填された冷媒を圧縮して吐出することにより、室外熱交換器３５と室内熱交換器１６１との間で冷媒を循環して冷凍サイクル運転を行う。ガスエンジン４０の回転数を制御することにより、冷凍能力を調整することができる。また、ガスエンジン４０は、発電機４１を駆動しており、発電機４１によって発生された電力は、後述するように、空調機１の補機その他に供給される。
【００１４】
四方弁３８は、冷房運転と暖房運転とを切り換えるための切換弁であり、図１では冷房運転の状態を示している。この場合、圧縮機３２から吐出された冷媒は、四方弁３８を経由して室外熱交換器３５へ流れた後に室内熱交換器１６１へと流れ、室外熱交換器３５が凝縮器、室内熱交換器１６１が蒸発器として機能して冷房運転状態となり、室内ファン１６２により室内空気が室内熱交換器１６１で熱交換されて室内を冷房する。
また、四方弁３８を暖房側に切り換えたときには、図示は省略するが、圧縮機３２から吐出された冷媒が四方弁３８を経由して室内熱交換器１６１へ流れた後に室外熱交換器３５へと流れ、室内熱交換器１６１が凝縮器、室外熱交換器３５が蒸発器として機能して暖房運転状態となり、室内を暖房する。
【００１５】
図１では室内ユニット１６０をビルトイン型に構成した場合を示している。すなわち、室内ユニット１６０は、天井空間内に設置され、天井に設けられた吸込口１５１から室内ファン１６２の負圧によりオフィス３内の空気を吸い込み、室内熱交換器１６１を通過させ、熱交換後の調和空気を、ダクト１５４を介して、複数（本例では２つ）の吹出口１５２を介してオフィス３内に吹き出す。
なお、本実施形態では、空調機１をビルトイン型に構成する場合を示したが、これに限らず、天井埋込型、天井吊り型、壁掛け型、床置き型などの公知の空気調和機を広く適用することが可能である。
【００１６】
室内熱交換器１３１、１６１は、例えば、銅管とアルミニウム製板フィンから成るプレートフィンチューブ式熱交換器によって構成される。室内熱交換器１３１は、室外ユニット１２０からの冷媒が流れる銅管１３１Ａ（第１の冷媒回路）と、室外ユニット３０からの冷媒が流れる銅管１３１Ｂ（第２の冷媒回路）とを有している。四方弁３８と銅管１３１Ｂとの間には集中コントローラ２００によって制御される電磁弁２０２が設けられている。そして、通常運転時には、電磁弁２０２が閉じた状態とされて室外ユニット１２０からの冷媒によって冷房運転が実行される。一方、商用電源からの電力供給停止状態（例えば、停電）が発生した場合には、電磁弁２０２が開いた状態とされて室外ユニット３０からの冷媒によって冷房運転が実行される。
【００１７】
膨張弁３６と室内熱交換器１６１との間には、集中コントローラ２００によって制御される電磁弁２０１が設けられている。そして、通常運転時には、電磁弁２０１が開いた状態とされ室外ユニット３０からの冷媒が室内熱交換器１６１へ供給され、冷房運転または暖房運転が実行される。一方、電力供給停止状態が発生した場合には、電磁弁２０１が閉じた状態とされ、室内熱交換器１６１への冷媒の流入を停止し、室内熱交換器１３１への冷媒の流入量を増加させることにより、サーバールーム２の冷房能力を高める。
【００１８】
図２は、サーバーラック冷却装置１００の制御系の構成例を示すブロック図である。なお、この図において、実線の細線は制御信号線を示し、破線は電力供給線を示し、実線の太線（ガスエンジン４０と発電機４１の間の線分）は駆動軸を示す。集中コントローラ（検出手段）２００は、制御ユニット８０、８５および電磁弁２０１、２０２を集中制御するための制御回路である。制御ユニット８０は、図１に示すように室外ユニット３０内に配設され、室内温度センサ２９から出力されるオフィス３内の室温を示す出力信号と、集中コントローラ２００から供給される制御信号に基づいて、ガスエンジン４０、室内ファン１６２を駆動する室内ファンモータ１６２Ａ、室外ファンモータ３４、膨張弁３６、および、四方弁３８を制御する。発電機４１は、例えば、都市ガス等によって動作するガスエンジン４０によって駆動され、発生した電力を、集中コントローラ２００、制御ユニット８０、８５、室内ファンモータ１６２Ａ、室外ファンモータ３４、膨張弁３６、四方弁３８、および、室内ファン１３２を駆動するための室内ファンモータ１３２Ａに供給する。なお、発電機４１によって発生された電力を各部へ直接供給するのではなく、例えば、インバータ等によって周波数および電圧を調整した後に各部に供給するようにしてもよい。
【００１９】
制御ユニット８５は、室外ユニット１２０内に設けられ、室内温度センサ１２９から出力されるサーバールーム２内の室温を示す信号と、集中コントローラ２００からの制御信号に基づいて、室内ファンモータ１３２Ａ、圧縮機モータ１２２、膨張弁１２４、および、室外ファンモータ１２６を制御する。なお、制御ユニット８５、室内ファンモータ１３２Ａ、圧縮機モータ１２２、膨張弁１２４、および、室外ファンモータ１２６には、商用電源３００からの電力が供給される。
【００２０】
次に、本実施形態の動作を説明する。以下では、先ず、商用電源３００からの電力供給が正常である場合の動作（通常動作）について説明した後、図３を参照して商用電源３００からの電力供給が正常でない場合（電力供給停止状態の場合）の動作について説明する。
【００２１】
商用電源３００からの電力供給が正常である場合、集中コントローラ２００は、電磁弁２０１を開いた状態にし、電磁弁２０２を閉じた状態にする。この結果、電磁弁２０２によって室外ユニット３０から室内熱交換器１３１への冷媒の流入が停止されるので、室内熱交換器１３１は室外ユニット１２０からの冷媒のみによって動作し、室内熱交換器１６１は室外ユニット３０からの冷媒のみによって動作する。より具体的には、サーバールーム２は、サーバー１１から排出される熱を冷却する必要があることから、常に冷房運転が実行される。制御ユニット８５は、室内温度センサ１２９から出力されるサーバールーム２の室温を示す信号と、目標温度との差分に基づいて、圧縮機モータ１２２を制御し、サーバールーム２内が目標温度になるように制御を行う。なお、サーバー１１の周囲温度の適温範囲は、一般的には１７〜２６℃とされている。これ以上温度が上昇すると、サーバー１１を構成する半導体や電子部品の寿命が短縮するとともに、故障率が増加する。例えば、半導体の場合、４０℃における故障率を１とすると、６０℃で１０倍、８０℃で１００倍となる。また、電解コンデンサの場合には、温度が１０℃上昇すると寿命が半分になってしまう。そこで、通常時には、空調の目標温度として前述した１７〜２６℃の範囲に属する、例えば、２０℃が設定される。これにより、温度上昇によるサーバー１１の熱暴走を防ぐだけでなく、サーバー１１を構成する電子部品の故障率を下げるとともに、寿命を延ばすことができる。
【００２２】
一方、空調機１については、季節または外気温に応じて、冷房運転または暖房運転が実行され、オフィス３内が冷房または暖房される。例えば、冷房運転の場合には、四方弁３８が図１に示す状態とされ、圧縮機３２から吐出された冷媒は、四方弁３８を経由して室外熱交換器３５へ流れた後に室内熱交換器１６１へと流れ、室外熱交換器３５が凝縮器、室内熱交換器１６１が蒸発器として機能して冷房運転状態となる。
また、暖房運転の場合には、四方弁３８を暖房側に切り換え、圧縮機３２から吐出された冷媒が四方弁３８を経由して室内熱交換器１６１へ流れた後に室外熱交換器３５へと流れ、室内熱交換器１６１が凝縮器、室外熱交換器３５が蒸発器として機能して暖房運転状態となる。なお、通常運転時には、電磁弁２０２が閉じられていることから、暖房運転における熱冷媒（圧縮機３２から吐出された冷媒）が室内熱交換器１３１の銅管１３１Ｂ内に流入することを防止できるので、冷房運転状態である室内熱交換器１３１に熱冷媒が流入して温度上昇が発生することを防止できる。なお、冷房運転および暖房運転のそれぞれにおいて、制御ユニット８０は、室内温度センサ２９から出力される、オフィス３内の室温を示す信号と、目標温度（例えば、図示せぬ操作部がユーザにより操作されて設定された温度）との差分が求められ、当該差分に基づいてガスエンジン４０の回転数が制御されることにより、オフィス３内が目標温度に保たれる。
【００２３】
つぎに、図３を参照して、商用電源３００からの電力供給停止状態が発生した場合における動作について説明する。なお、電力供給停止状態が発生した場合には、空調機１１０は動作を停止し、空調機１のみの運転となる。そこで、このような場合には、オフィス３内の空調を停止するとともに、室外ユニット３０からの冷媒を室内熱交換器１３１に供給して、サーバールーム２の冷房を継続し、サーバールーム２内に配置されているサーバー１１に温度異常（例えば、熱暴走）が発生することを防止する。
【００２４】
例えば、落雷等に起因して商用電源３００に停電が発生したり、商用電源３００から空調機１１０までの間に配設されている安全装置（遮断装置）が動作したりして、商用電源３００から空調機１１０への電力の供給が停止した状態になった場合、集中コントローラ２００はこれを検出し、ステップＳ１０において電力供給停止状態が発生したと判定し（ステップＳ１０；Ｙｅｓ）、ステップＳ１１に進む。なお、電力供給停止状態になると、圧縮機モータ１２２、膨張弁１２４、および、室外ファンモータ１２６には電力が供給されない状態となり、これらは動作を停止する。
【００２５】
ステップＳ１１では、集中コントローラ２００は、制御ユニット８０から運転状況を示す情報を取得し、空調機１が暖房運転中か否かを判定し、暖房運転中である場合（ステップＳ１１；Ｙｅｓ）にはステップＳ１２に進み、それ以外の場合（ステップＳ１１；Ｎｏ）にはステップＳ１３に進む。例えば、暖房運転中である場合にはＹｅｓと判定されてステップＳ１２に進む。
【００２６】
ステップＳ１２では、集中コントローラ２００は、制御ユニット８０に対して、四方弁３８を切り換えるように指示する。その結果、四方弁３８が暖房運転の状態である場合には、図１に示す冷房運転の状態に切り換えられる。
【００２７】
ステップＳ１３では、集中コントローラ２００は、電磁弁２０２を開けた状態とする。これにより、室外ユニット３０から室内熱交換器１３１の銅管１３１Ｂへの冷媒の流入が開始される。ステップＳ１４では、集中コントローラ２００は、電磁弁２０１を閉じた状態とする。これにより、室外ユニット３０から室内熱交換器１６１への冷媒の流入が停止される。これら一連の動作により、室内熱交換器１３１の銅管１３１Ｂには室外ユニット３０からの冷媒が供給され、冷房運転の状態となる。なお、電磁弁２０２を開けた後に、電磁弁２０１を閉じているが、これは、電磁弁２０１を先に閉じると、室外ユニット３０からの冷媒の流入先が無くなってしまうので、電磁弁２０２を先に開けることにより、冷媒の流入先を確保するためである。
【００２８】
ステップＳ１５では、集中コントローラ２００は、制御ユニット８５を介して、室内温度センサ１２９の出力を参照し、サーバールーム２内の気温を検出する。なお、制御ユニット８５は、図２に示すように、発電機４１からの電力が供給されているので、室内温度センサ１２９からの出力信号を取得し、集中コントローラ２００に供給することができる。また、このとき、室内温度センサ２９からの出力信号は無視される。
【００２９】
ステップＳ１６では、ステップＳ１５において検出した気温が、サーバールーム２の目標温度（例えば、２０℃）と等しいか否かを判定し、等しいと判定した場合（ステップＳ１６；Ｙｅｓ）にはステップＳ１８に進み、それ以外の場合（ステップＳ１６；Ｎｏ）にはステップＳ１７に進む。例えば、気温が目標温度よりも高いと判定された場合、または、低いと判定された場合にはステップＳ１７に進む。
【００３０】
ステップＳ１７では、集中コントローラ２００は、ステップＳ１５で検出されたサーバールーム２の気温と、目標温度との差分に基づいて、冷凍負荷を計算し、当該冷凍負荷に応じてガスエンジン４０の出力を調整する。これにより、サーバールーム２の室温が目標温度に近づくようにガスエンジン４０の出力が調整されることから、サーバー１１が温度異常（例えば、熱暴走）を生じることを防止できる。
【００３１】
ステップＳ１８では、集中コントローラ２００は、電力供給停止状態が解消したか否かを判定し、解消したと判定した場合（ステップＳ１８；Ｙｅｓ）にはステップＳ１９に進み、それ以外の場合（ステップＳ１８；Ｎｏ）にはステップＳ１５に戻って同様の処理を繰り返す。例えば、停電が解消し、電力供給停止状態が解消した場合にはステップＳ１９に進む。
【００３２】
ステップＳ１９では、集中コントローラ２００は、空調機１を元の運転状態（電力供給停止状態が発生する前の運転状態）に復元する。より詳細には、電力供給停止状態が発生する前において、空調機１が暖房運転をしていた場合には、集中コントローラ２００は、制御ユニット８０を制御して、四方弁３８を切り換え、暖房運転状態に復元させる。
【００３３】
ステップＳ２０では、集中コントローラ２００は、電磁弁２０１を開けた状態とする。これにより、室外ユニット３０から室内熱交換器１６１への冷媒の流入が可能となる。ステップＳ２１では、集中コントローラ２００は、電磁弁２０２を閉じた状態とする。これにより、室外ユニット３０から室内熱交換器１３１の銅管１３１Ｂへの冷媒の流入が停止される。これら一連の動作により、室内熱交換器１３１には室外ユニット１２０からの冷媒が供給されて冷房運転の状態となる。また、室内熱交換器１６１には室外ユニット３０からの冷媒が供給されて、冷房運転または暖房運転の状態となる。なお、電磁弁２０１を開けた後に、電磁弁２０２を閉じているが、これは、前述の場合と同様の理由による。
【００３４】
ステップＳ２２では、集中コントローラ２００は、制御ユニット８０、８５に対して、通常運転を再開するように指示をする。この結果、空調機１１０は室内温度センサ１２９からの出力信号に基づいて、サーバールーム２内の気温が、サーバー１１が温度異常を生じない温度としての目標温度（例えば、２０℃）になるように空調運転を実施する。また、空調機１は室内温度センサ２９からの出力信号に基づいて、オフィス３内の気温がユーザによって設定された目標温度になるように空調運転を実施する。
【００３５】
以上に説明したように、本発明の実施形態によれば、電力供給停止状態が発生して、サーバールーム２を冷却するための空調機１１０が停止した場合には、オフィス３を空調するための空調機１の室外ユニット３０からの冷媒を、空調機１１０の室内熱交換器１３１が有する銅管１３１Ｂに供給するようにしたので、電力供給停止状態が発生した場合であっても、サーバールーム２に配置されているサーバー１１が熱暴走等の温度異常を発生することを防止できる。
【００３６】
また、制御ユニット８５および室内ファンモータ１３２Ａに対して、発電機４１からの電力を提供するようにしたので、電力供給停止状態においても、室内温度センサ１２９からの検出信号を制御ユニット８５を介して集中コントローラ２００に供給することができるとともに、室内ファンモータ１３２Ａを動作させることができる。
【００３７】
また、電磁弁２０２を四方弁３８と銅管１３１Ｂの間に挿入するようにしたので、空調機１が暖房運転時において、四方弁３８を介して圧縮機３２から吐出される高温の冷媒が銅管１３１Ｂ内に流入し、室内熱交換器１３１の温度を上昇させることを防止できる。
【００３８】
なお、上述した実施の形態は、あくまでも本発明の一態様を示すものであり、本発明の範囲内で任意に変形および応用が可能であることは勿論である。例えば、以上の実施形態では、電磁弁２０１、２０２を設けて冷媒の流入出の制御を行うようにしたが、これらの電磁弁２０１、２０２を設けずに、室内ユニット１３０および室内ユニット１５０が有する図示せぬ膨張弁を用いて、冷媒の流入出の制御を行うようにしてもよい。このような構成によれば、装置の構成を簡略化することができる。
【００３９】
また、以上の実施形態では、空調機１と空調機１１０の運転能力については言及していないが、例えば、これらの運転能力差に基づいて制御を行うようにしてもよい。具体的には、これらの運転能力が略同じである場合には、前述した処理により、電力供給停止状態においてもサーバールーム２内の空調を継続することができる。また、空調機１の運転能力の方が空調機１１０よりも大きい場合には、サーバールーム２を空調する能力の他に余剰な運転能力が生じるので、当該余剰な能力を用いて、オフィス３内を空調するようにしてもよい。また、空調機１の運転能力の方が空調機１１０よりも小さい場合には、サーバールーム２を空調する能力が不足する場合も想定される。そのような場合には、通常時の目標温度まで温度を下げることができないため、目標温度よりも高い「許容温度」を設定し、当該許容温度を超えないように制御をするようにしてもよい。すなわち、電力供給停止状態においては、サーバー１１に温度異常が発生する（例えば、サーバー１１が熱暴走する）ことを防止することが最重要課題であることから、サーバー１１が熱暴走する温度である、例えば、３５℃を許容温度として設定し、これを上回らないようにガスエンジン４０の制御を行うことができる。なお、それでも運転能力が不足する場合には、例えば、発電機４１からの電力が、図２に示すブロック以外にも供給されている場合（例えば、室内の照明に供給されている場合）には、当該供給先への電力の供給を停止することにより、ガスエンジン４０にかかる負荷を軽減し、運転能力を増やすことができる。あるいは、サーバー１１の一部を強制終了することにより発熱量を減少させ、運転能力に見合った発熱量にすることも可能である。
【００４０】
また、以上の実施形態では、室内ファンモータ１６２Ａおよび制御ユニット８５には、発電機４１によって発生された電力を供給するようにしたが、例えば、通常運転時においいては商用電源３００からの電力を供給し、電力供給停止状態においては発電機４１からの電力を供給するように、例えば、給電切換手段を設けるようにしてもよい。
【００４１】
また、以上の実施形態では、室内ユニット１３０において熱交換がされた調和空気を、天井面の吹出口１４２から吹き出し、天井面の吸込口１４１から回収するようにしたが、床面から吹き出して天井面から回収するようにしたり、天井面から吹き出して床面で回収したりするようにしてもよい。
【図面の簡単な説明】
【００４２】
【図１】本発明の一実施形態に係る空調システムを示す図である。
【図２】図１に示す空調システムの制御系を示すブロック図である。
【図３】電力供給停止時に実行される処理の一例である。
【符号の説明】
【００４３】
１  空調機（ガスエンジン式空調機）
２  サーバールーム（コンピュータールーム）
３  オフィス
１０  サーバーラック
１１  サーバー（電子機器）
３０  室外ユニット
３２  圧縮機
３４  ファンモータ
３５  室外熱交換器
４０  ガスエンジン
４１  発電機
８０  制御ユニット
８５  制御ユニット
１００  サーバーラック冷却装置（電子機器冷却装置）
１１０  空調機（電気式空調機）
１２０  室外ユニット
１２１  圧縮機
１２２  圧縮機モータ
１２６  ファンモータ
１３０  室内ユニット
１３１  室内熱交換器
１３１Ａ  銅管（第１の冷媒回路）
１３１Ｂ  銅管（第２の冷媒回路）
１６０  室内ユニット
１６１  室内熱交換器
２００  集中コントローラ（検出手段）
２０１、２０２  電磁弁（切換手段）
【図１】
2010190485.tif 000003
【図２】
2010190485.tif 000004
【図３】
2010190485.tif 000005